(57)【要約】【課題】本発明は、分岐位置における枝線部の配列が乱れることを抑制することができる技術を提供することを目的とする。【解決手段】ワイヤーハーネス１０は、複数の電線群１２と、スペーサー２０と、前記スペーサー２０及び前記複数の電線群１２のうち前記スペーサー２０より端末部とは反対側に位置する部分の周囲に巻付けられたテープ４０と、を備える。スペーサー２０は、側面２２ｃが全体に外側に凸となる態様で柱状に形成されると共に両主面２２ａ、２２ｂを貫くように形成された複数の貫通孔２４に複数の前記電線群１２がそれぞれ区切って挿通されている本体部２２と、前記本体部２２の前記側面２２ｃと複数の前記貫通孔２４とをそれぞれ連通するスリット状に形成され、前記本体部２２の前記側面２２ｃの外側から複数の前記貫通孔２４に複数の前記電線群１２をそれぞれ案内可能な案内部３０とを含む。【選択図】図１
2017117570.tif 000002
【特許請求の範囲】
【請求項１】
複数の電線群と、
側面が全体に外側に凸となる態様で柱状に形成されると共に両主面を貫くように形成された複数の貫通孔に複数の前記電線群がそれぞれ区切って挿通されている本体部と、前記本体部の前記側面と複数の前記貫通孔とをそれぞれ連通するスリット状に形成され、前記本体部の前記側面の外側から複数の前記貫通孔に複数の前記電線群をそれぞれ案内可能な案内部とを含むスペーサーと、
前記スペーサー及び複数の前記電線群のうち前記スペーサーに対して端末部とは反対側に位置する部分の周囲に巻付けられたテープと、
を備える、ワイヤーハーネス。
【請求項２】
請求項１に記載のワイヤーハーネスであって、
前記案内部のうち前記本体部の前記側面に達する端部は１つのみである、ワイヤーハーネス。
【請求項３】
請求項１又は請求項２に記載のワイヤーハーネスであって、
前記スペーサーは、弾性材料によって形成され、
前記案内部のうち前記本体部の前記側面側の端部は閉じられた状態で、前記テープが巻付けられている、ワイヤーハーネス。
【請求項４】
請求項１から請求項３のいずれか１項に記載のワイヤーハーネスであって、
前記案内部は、直線状に形成された直線状案内部を含み、
複数の前記貫通孔のうち少なくとも２つは前記直線状案内部を挟んで両側に位置してそれぞれ前記直線状案内部と交わっている、ワイヤーハーネス。
【発明の詳細な説明】
【技術分野】
【０００１】
この発明は、車両に搭載されるワイヤーハーネスに関する。
【背景技術】
【０００２】
ワイヤーハーネスは、車両に組み付ける際などに、２次元で製造したものを３次元に展開することがある。この場合、一部の枝線部の端末部を組み付ける際に、枝線部をねじって組み付けることがある。このような組付時のねじりを抑える技術が、例えば、特許文献１に開示されている。
【０００３】
特許文献１に記載のワイヤーハーネスの設計方法は、第１線材、並びに、第２線材又は支持部材が共に、予め定められた拘束条件を満たしつつ、主仮想治具面及び副仮想治具面に乗るようにすることで、組付時のねじりを最小化するとされている。
【先行技術文献】
【特許文献】
【０００４】
【特許文献１】特開２００４−２２１８８号公報
【発明の概要】
【発明が解決しようとする課題】
【０００５】
しかしながら、特許文献１に記載の手法を採用しても上記のようなねじりが完全になくなるわけではない。そして、上記のようなねじりが発生すると、分岐位置で枝線部の配列が入れ替わるなどの問題が生じることがある。分岐位置で枝線部の配列が入れ替わると、当該枝線部の経路が想定以上に遠回りをするなどして、当該枝線部の端末部における設計通りの接続が困難になる恐れがある。
【０００６】
ここで、複数の端末部を端末部単位で先に束ねて仮結束したのち、仮結束したもの同士を束ねて本結束する場合がある。この場合、仮結束されている端末部を複数集合させた状態で、さらにその周囲にテープを巻付けて本結束すると、テープと仮結束物との接触面積が小さくなることがある。このため、上記のようなねじりが発生すると、分岐位置で枝線部の配列の入れ替わりが起こりやすい。
【０００７】
そこで、本発明は、分岐位置における枝線部の配列が乱れることを抑制することができる技術を提供することを目的とする。
【課題を解決するための手段】
【０００８】
上記課題を解決するため、第１の態様に係るワイヤーハーネスは、複数の電線群と、側面が全体に外側に凸となる態様で柱状に形成されると共に両主面を貫くように形成された複数の貫通孔に複数の前記電線群がそれぞれ区切って挿通されている本体部と、前記本体部の前記側面と複数の前記貫通孔とをそれぞれ連通するスリット状に形成され、前記本体部の前記側面の外側から複数の前記貫通孔に複数の前記電線群をそれぞれ案内可能な案内部とを含むスペーサーと、前記スペーサー及び複数の前記電線群のうち前記スペーサーに対して端末部とは反対側に位置する部分の周囲に巻付けられたテープと、を備える。
【０００９】
第２の態様に係るワイヤーハーネスは、第１の態様に係るワイヤーハーネスであって、前記案内部のうち前記本体部の前記側面に達する端部は１つのみである。
【００１０】
第３の態様に係るワイヤーハーネスは、第１又は第２の態様に係るワイヤーハーネスであって、前記スペーサーは、弾性材料によって形成され、前記案内部のうち前記本体部の前記側面側の端部は閉じられた状態で、前記テープが巻付けられている。
【００１１】
第４の態様に係るワイヤーハーネスは、第１から第３のいずれか１つの態様に係るワイヤーハーネスであって、前記案内部は、直線状に形成された直線状案内部を含み、複数の前記貫通孔のうち少なくとも２つは前記直線状案内部を挟んで両側に位置してそれぞれ前記直線状案内部と交わっている。
【発明の効果】
【００１２】
第１から第４の態様によると、複数の電線群がスペーサーで区切られ、スペーサー及びスペーサーに対して端末部とは反対側の電線群の周囲とにテープが巻付けられている。この際、スペーサーの側面が全体に外側に凸であることによって、スペーサーとテープとの接触面積が大きくなり、スペーサーが回転することが抑制される。これにより、スペーサーが取付けられている部分において電線群の配列が乱れることが抑制される。また、案内部が設けられることによって、電線群が貫通孔内に配設されやすくなる。
【００１３】
特に、第２の態様によると、案内部のうち本体部の側面に達する端部は１つのみであるため、側面に位置するスリットの数が多くなることを抑制することによって、スペーサーの周囲に巻付けられたテープのうちスペーサーと接触しない部分が増加することを抑制することができる。これにより、スペーサーがより回転しにくくなる。
【００１４】
特に、第３の態様によると、スペーサーが弾性材料によって形成され、案内部のうち本体部の側面側の端部は閉じられた状態で、テープが巻付けられている。このため、スペーサーの周囲に巻付けられたテープのうちスペーサーと接触しない部分が増加することを抑制することができることによって、スペーサーがより回転しにくくなる。また、スペーサーが弾性材料によって形成されていることによって、スリットの幅を小さく形成した場合でもスリットを広げて電線群を貫通孔に案内することができる。さらに、スペーサーが弾性材料によって形成されていることによって、貫通孔よりも大きい電線群も貫通孔に配設することができる。
【００１５】
特に、第４の態様によると、案内部の形状を簡易なものにすることができる。
【図面の簡単な説明】
【００１６】
【図１】実施形態に係るワイヤーハーネスを示す斜視図である。
【図２】実施形態に係るスペーサーを示す斜視図である。
【図３】実施形態に係るスペーサーを示す正面図である。
【図４】実施形態に係るワイヤーハーネスの製造方法の一工程を示す説明図である。
【図５】実施形態に係るワイヤーハーネスの製造方法の一工程を示す説明図である。
【図６】電線群にスペーサーが取付けられた状態を示す説明図である。
【図７】実施形態に係るワイヤーハーネスの製造方法の一工程を示す説明図である。
【図８】変形例に係るスペーサーを示す正面図である。
【図９】別の変形例に係るスペーサーを示す正面図である。
【図１０】さらに別の変形例に係るスペーサーを示す正面図である。
【発明を実施するための形態】
【００１７】
｛実施形態｝
以下、実施形態に係るワイヤーハーネスについて説明する。図１は、実施形態に係るワイヤーハーネス１０を示す斜視図である。
【００１８】
ワイヤーハーネス１０は、複数の電線群１２と、スペーサー２０と、テープ４０と、を備える。
【００１９】
ここでは、複数の電線群１２の端部にはそれぞれコネクタ１４が接続されている。そして、複数の電線群１２にはスペーサー２０が取付けられている。ここでは、３つのコネクタ１４からそれぞれ延在する３つの電線群１２にスペーサー２０が取付けられている例で説明する。３つの電線群１２のうちスペーサー２０を挟んでコネクタ１４とは反対側は、テープ４０により結束されている。従って、３つの電線群１２のうちスペーサー２０を挟んでコネクタ１４側は、結束されていない３つの枝線部を構成している。また、３つの電線群１２のうちスペーサー２０を挟んでコネクタ１４とは反対側は、結束された幹線部を構成している。以下では、各電線群１２は、コネクタ１４から延在する部分が束ねられると共に束ねられた部分に粘着テープが螺旋状に巻付けられて結束されており、幹線部では別のテープ４０で３つの電線群１２が１つに結束されているものとして説明する。なお、図１及び図４乃至図７では、３つの電線群１２が簡略化されて描かれている。
【００２０】
次に、スペーサー２０について、図１に加えて図２及び図３を参照しつつ詳述する。図２は、実施形態に係るスペーサー２０を示す斜視図である。図３は、実施形態に係るスペーサー２０を示す正面図である。
【００２１】
スペーサー２０は、３つの電線群１２に取付けられ、３つの電線群１２を仕切る部材である。ここでは、スペーサー２０はゴム又はエラストマー等の弾性材料によって形成されている。具体的には、スペーサー２０は、本体部２２と、案内部３０とを含む。
【００２２】
本体部２２は、柱状に形成されている。本体部２２の側面２２ｃは、全体に外側に凸となるように形成されている。ここでは、本体部２２は、その主面２２ａ、２２ｂが円形の円柱状に形成されることによって、その側面２２ｃが全体に外側に凸となっている。もっとも、本体部２２は、主面２２ａ、２２ｂが角形又は長円状等に形成されていてもよい。本体部２２には、両主面２２ａ、２２ｂを貫くように複数（ここでは、３つ）の貫通孔２４が形成されている。３つの貫通孔２４に３つの電線群１２がそれぞれ区切って挿通されている。
【００２３】
貫通孔２４の大きさは、適宜設定されていればよいが、束ねられた各電線群１２と同程度の大きさに形成されていることが好ましい。ここでは、３つの貫通孔２４は、すべて同じ大きさで同じ形状（ここでは、円形状）に形成されている。
【００２４】
もっとも、３つの貫通孔２４がすべて同じ大きさで同じ形状に形成されていることは必須ではない。例えば、すべての貫通孔が異なる大きさ又は異なる形状に形成されていてもよいし、２つの貫通孔が同じ大きさで同じ形状に形成されると共に残りの１つの貫通孔が異なる大きさ又は異なる形状に形成されていてもよい。
【００２５】
３つの貫通孔２４は、できるだけ密集して形成されていることが好ましい。ここでは、３つの貫通孔２４は、それぞれの中心を結ぶ三角形が正三角形状をなすような配列に配置されている。より詳細には、本体部２２のうち貫通孔２４に囲まれた真ん中の部分が外側の部分と連なるように、２つの貫通孔２４が接し、残りの１つの貫通孔２４が僅かに離れた配列に配置されている。これにより、本体部２２の主面の形状を小さくすることができ、ワイヤーハーネス１０が車両に組み付けられた際にスペーサー２０が設けられた部分が周囲の部材と干渉することを抑制することができる。
【００２６】
もっとも、３つの貫通孔２４の配列は、上記したものに限られない。例えば、３つの貫通孔が横一列に並ぶように配置されることもあり得る。この場合、本体部の主面は、２つの半円状部分とその間の長方形状部分とを含む長円状に形成されることが考えられる。
【００２７】
なお、ここでは、貫通孔２４の数とスペーサー２０によって仕切りたい電線群１２の数とが一致しているが、必ずしもその必要はない。例えば、貫通孔の数の方が電線群の数よりも多くてもよい。この場合、一部の貫通孔には電線群が挿通されず、空いた状態となる。また、例えば、電線群の数の方が貫通孔の数よりも多くてもよい。この場合、一部の複数の電線群が１つの貫通孔に挿通されていてもよい。つまり、複数の電線群１２のうち少なくとも一部が貫通孔２４で仕切られていればよい。このとき、特に配列が乱れることを抑制したい電線群１２が、互いに別の貫通孔２４に挿通されて仕切られているとよい。
【００２８】
また、本体部２２の両主面２２ａ、２２ｂを結ぶ高さ寸法は、適宜設定されていればよい。高さ寸法が大きいほど取付時又は取付後にスペーサー２０の一部又は全体が電線群１２の延在方向に沿って位置ずれすることを抑制でき、スペーサー２０の取付姿勢が安定する。また、高さ寸法が小さいほど貫通孔２４へ後述する案内部３０を通して電線群１２を挿通する際にスペーサー２０を弾性変形させやすくなり、挿通容易となる。
【００２９】
案内部３０は、本体部２２の側面２２ｃの外側に広がる空間と複数の貫通孔２４とをそれぞれ連通するスリット状に形成されている。ここでは、案内部３０は、本体部２２が形成された後に、本体部２２に切れ目が入れられて形成されている。このため、自然状態で、案内部３０は幅がほぼない状態となっている。案内部３０は、本体部２２の側面２２ｃの外側から複数の貫通孔２４に複数の電線群１２をそれぞれ案内可能に形成されている。
【００３０】
ここでは、案内部３０のうち本体部２２の側面２２ｃに達する端部は１つのみである。また、案内部３０は、直線状に形成された直線状案内部３２を含む。貫通孔２４の少なくとも一部は直線状案内部３２を挟んで両側に位置する。ここでは、案内部３０は、１つの直線状案内部３２のみによって構成されている。
【００３１】
より詳細には、本体部２２において３つの貫通孔２４のうち２つの貫通孔２４ａ、２４ｂが接するように配列されている。また、残りの１つの貫通孔２４ｃは、２つの貫通孔２４ａ、２４ｂと接しない位置であって、２つの貫通孔２４ａ、２４ｂの接点における接線と交わる位置に設けられている。この際、貫通孔２４ｃの中心は、接線上に位置するように設定されている。そして、直線状案内部３２は、上記接線の位置にスリット状に設けられ、本体部２２の側面２２ｃから貫通孔２４ｃに達するように設けられている。このとき、直線状案内部３２は、中間部分の上記接点に相当する部分で貫通孔２４ａ、２４ｂに連通している。
【００３２】
テープ４０は、スペーサー２０及び複数の枝線部のうちスペーサー２０より端末部とは反対側に位置する部分の周囲に巻付けられている。このとき、案内部３０のうち本体部２２の側面２２ｃ側の端部は閉じられた状態で、テープ４０が巻付けられている。
【００３３】
＜製造方法＞
次に、上記ワイヤーハーネス１０を製造する方法について図４乃至図７を参照しつつ説明する。図４乃至図７は、実施形態に係るワイヤーハーネス１０の製造方法の一工程を示す説明図である。このとき、図６は、電線群１２にスペーサー２０が取付けられた状態を示す説明図である。
【００３４】
まずは、図４に示すように、束ねられ、結束された３つの電線群１２を組立図板上にそれぞれ配設する。この際、ここでは、各電線群１２の端部に設けられたコネクタ１４をそれぞれ保持治具８０に保持させる又はコネクタ１４の基端側をＵ字状の電線支持冶具に引っ掛けるなどして各電線群１２を位置決めする。また、各電線群１２においてスペーサー２０を取付けたい部分を１つの電線支持治具に支持させるなどして１箇所に集合させる。
【００３５】
次に、スペーサー２０を３つの電線群１２に取付ける。より詳細には、図５に示すように、スペーサー２０を弾性変形させて、電線群１２が通過可能となるように案内部３０を広げる。このとき、直線状案内部３２のうち本体部２２の側面２２ｃ側を開くように弾性変形させることにより、電線群１２を貫通孔２４ａ、２４ｂ、２４ｃにそれぞれ挿通可能な態様に開くことができる。この状態で、案内部３０に３つの電線群１２を通し、３つの電線群を３つの貫通孔２４にそれぞれ案内する。３つの電線群１２が３つの貫通孔２４にそれぞれ挿通されると、図６に示した状態となる。
【００３６】
この状態で、図７に示すように、スペーサー２０及び３つの電線群１２においてスペーサー２０に対してコネクタ１４とは反対側の部分にテープ４０を巻付けて結束する。このとき、テープ４０をスペーサー２０側から巻付けていってもよいし、それとは反対側から巻付けていってもよい。
【００３７】
なお、３つの電線群１２のうちスペーサー２０に対してコネクタ１４側の部分の一部にもテープ４０を巻付けてもよい。これにより、スペーサー２０がコネクタ１４側に位置ずれすることを抑制することができる。
【００３８】
このようなワイヤーハーネス１０によると、複数の電線群１２がスペーサー２０で区切られ、スペーサー２０とそれより端末部とは反対側の電線群１２の周囲とにテープ４０が巻付けられている。この際、スペーサー２０の側面２２ｃが全体に外側に凸であることによって、スペーサー２０とテープ４０との接触面積が大きくなり、スペーサー２０が回転することが抑制される。これにより、車両への組付時に枝線部が捻じられつつコネクタ１４が接続された場合でも、スペーサー２０が取付けられている部分において枝線部の配列が乱れることが抑制される。これにより、枝線部が交差することを抑制することができると共に、枝線部が交差することに起因する枝線部の短尺化を抑制することができる。また、案内部３０が設けられることによって、電線群１２が貫通孔２４内に配設されやすくなる。
【００３９】
また、案内部３０のうち本体部２２の側面２２ｃに達する端部は１つのみであるため、側面２２ｃに位置するスリットの数が多くなることを抑制することができる。これにより、スペーサー２０の周囲に巻付けられたテープ４０のうちスペーサー２０と接触しない部分が増加することを抑制することができる。これにより、スペーサー２０がより回転しにくくなる。
【００４０】
また、スペーサー２０が弾性材料によって形成され、案内部３０のうち本体部２２の側面２２ｃ側の端部は閉じられた状態で、テープ４０が巻付けられている。このため、スペーサー２０の周囲に巻付けられたテープ４０のうちスペーサー２０と接触しない部分が増加することを抑制することができることによって、スペーサー２０がより回転しにくくなる。また、スペーサー２０が弾性材料によって形成されていることによって、案内部３０の幅を小さく形成した場合でも案内部を広げるように弾性変形させて電線群１２を貫通孔２４に案内することができる。さらに、スペーサー２０が弾性材料によって形成されていることによって、貫通孔２４よりも大きい電線群も貫通孔２４に配設することができる。
【００４１】
また、案内部３０は、直線状に形成された直線状案内部３２を含み、貫通孔２４の少なくとも一部は直線状案内部３２を挟んで両側に位置するため、案内部３０の形状を簡易なものにすることができる。
【００４２】
｛変形例｝
実施形態において、本体部２２に形成される貫通孔２４の数が３つであるものとして説明したが、このことは必須ではない。本体部に形成される貫通孔の数は、２つであってもよいし、４つ以上であってもよい。
【００４３】
例えば、図８に示されるスペーサー１２０では、本体部１２２に２つの貫通孔１２４が形成されている。このとき、２つの貫通孔１２４は接する位置に設けられている。そして、２つの貫通孔１２４が接する接点における接線の位置に案内部１３０として１つの直線状案内部１３２が設けられ、２つの貫通孔１２４が連通されている。
【００４４】
また、例えば、図９に示されるスペーサー２２０では、本体部２２２に４つの貫通孔２２４が形成されている。このとき、４つの貫通孔２２４のうち２つの貫通孔２２４ａ、２２４ｂは接する位置に設けられている。また、残りの２つの貫通孔２２４ｃ、２２４ｄは２つの貫通孔２２４ａ、２２４ｂとは離れた位置で互いに接する位置に設けられている。２つの貫通孔２２４ａ、２２４ｂの接点における接線と、２つの貫通孔２２４ｃ、２２４ｄの接点における接線は共通接線とされている。当該共通接線の位置に案内部２３０として１つの直線状案内部２３２が設けられ、４つの貫通孔２２４が連通されている。４つの貫通孔２２４は、その中心を結ぶ四角形が略正方形状をなすような配列で配置されている。
【００４５】
また、例えば、図１０に示されるスペーサー３２０では、本体部３２２に５つの貫通孔３２４が形成されている。このとき、２つの貫通孔３２４ａ、３２４ｂは接する位置に設けられている。また、残りの３つの貫通孔３２４ｃ、３２４ｄ、３２４ｅは２つの貫通孔３２４ａ、３２４ｂとは離れた位置で、かつ互いに離れた位置に設けられている。貫通孔３２４ｃは、２つの貫通孔３２４ａ、３２４ｂの接点における接線と交わる位置に設けられている。２つの貫通孔３２４ｄ、３２４ｅは、上記接線とは離れた位置に設けられている。従って、案内部３３０として、接線の位置に１つの直線状案内部３３２が設けられており、当該直線状案内部３３２が貫通孔３２４ａ、３２４ｂ、３２４ｃに連通されている。そして、直線状案内部３３２における接点に相当する部分と貫通孔３２４ｃとの間の部分から２つの部分案内部３３４が直線状に枝分かれするように設けられ、当該部分案内部３３４が貫通孔３２４ｄ、３２４ｅに連通されている。５つの貫通孔３２４は、その中心を結ぶ五角形が略正五角形状をなすような配列で配置されている。
【００４６】
｛その他の変形例｝
実施形態において、スペーサー２０が弾性材料で形成されているものとして説明したが、このことは必須ではない。スペーサーが弾性材料で形成されていない場合、案内部は貫通孔へと案内する電線群と同程度の幅寸法を有していることが考えられる。
【００４７】
また、実施形態において、案内部３０のうち本体部２２の側面２２ｃに達する端部は、１つのみであるものとして説明したが、このことは必須ではない。それぞれの貫通孔から本体部の側面に向けて案内部が形成されていてもよい。この場合、案内部のうち本体部の側面に達する端部の数は、貫通孔の数と一致する。
【００４８】
また、実施形態において、案内部３０が直線状案内部３２を含むものとして説明したが、このことは必須ではない。案内部は、順次枝分かれして貫通孔に連通されていてもよい。
【００４９】
なお、上記実施形態及び各変形例で説明した各構成は、相互に矛盾しない限り適宜組み合わせることができる。
【００５０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５１】
１０  ワイヤーハーネス
１２  電線群
２０  スペーサー
２２  本体部
２２ｃ  側面
２４  貫通孔
３０  案内部
３２  直線状案内部
４０  テープ
【図１】
2017117570.tif 000003
【図２】
2017117570.tif 000004
【図３】
2017117570.tif 000005
【図４】
2017117570.tif 000006
【図５】
2017117570.tif 000007
【図６】
2017117570.tif 000008
【図７】
2017117570.tif 000009
【図８】
2017117570.tif 000010
【図９】
2017117570.tif 000011
【図１０】
2017117570.tif 000012